(57)【要約】【課題】紙幣の回収のためにオペレータに煩雑な作業を強いる可能性を低減することが可能な技術を提供する。【解決手段】紙幣が排出される出金口１０２と、紙幣を認識する認識部１０４と、紙幣を搬送する搬送路１０３と、搬送中の紙幣が認識部１０４によって異常であると認識された場合、当該紙幣が出金口１０２に搬送されるように搬送路１０３を制御する制御部２１０と、を備える、現金処理装置１０が提供される。【選択図】図５
2015176185.tif 000002
【特許請求の範囲】
【請求項１】
紙幣が排出される出金口と、
紙幣を認識する認識部と、
紙幣を搬送する搬送部と、
搬送中の紙幣が前記認識部によって異常であると認識された場合、当該紙幣が前記出金口に搬送されるように前記搬送部を制御する制御部と、
を備える、現金処理装置。
【請求項２】
前記制御部は、前記搬送中の紙幣が前記認識部によって異常であると認識された場合、前記搬送部に残留している複数の紙幣を前記出金口に搬送させる、
請求項１に記載の現金処理装置。
【請求項３】
前記出金口は、第１の出金口及び第２の出金口からなり、
前記制御部は、前記搬送中の紙幣が前記認識部によって異常であると認識された場合、前記搬送部に残留している複数の紙幣を第１の出金口に搬送させ、前記第１の出金口に搬送された紙幣の枚数が上限値に達した場合、残りの紙幣を第２の出金口に搬送させる、
請求項１に記載の現金処理装置。
【請求項４】
前記出金口は、第１の出金口及び第２の出金口からなり、
前記制御部は、前記搬送中の紙幣が前記認識部によって異常であると認識された場合、前記搬送部に残留している複数の紙幣のうち、前記認識部によって正常であると認識された紙幣を第１の出金口に搬送させ、前記認識部によって異常であると認識された紙幣を第２の出金口に搬送させる、
請求項１に記載の現金処理装置。
【請求項５】
前記現金処理装置は、
紙幣を一時的に収納する一時保留部を備え、
前記制御部は、前記一時保留部から分離された紙幣が前記認識部によって異常であると認識された場合、当該紙幣を前記出金口に搬送させる、
請求項１に記載の現金処理装置。
【請求項６】
前記制御部は、前記一時保留部から分離された紙幣が前記認識部によって異常であると認識された場合、前記一時保留部からの紙幣の分離を停止させる、
請求項５に記載の現金処理装置。
【請求項７】
前記現金処理装置は、
紙幣を収納可能な紙幣カセットを備え、
前記制御部は、前記一時保留部から分離された紙幣が前記認識部によって正常であると認識された場合、当該紙幣を前記紙幣カセットに搬送させる、
請求項５に記載の現金処理装置。
【請求項８】
前記現金処理装置は、
紙幣を収納する紙幣カセットを備え、
前記制御部は、前記紙幣カセットから分離された紙幣が前記認識部によって異常であると認識された場合、当該紙幣を前記出金口に搬送させる、
請求項１に記載の現金処理装置。
【請求項９】
前記制御部は、前記紙幣カセットから分離された紙幣が前記認識部によって異常であると認識された場合、前記紙幣カセットからの紙幣の分離を停止させる、
請求項８に記載の現金処理装置。
【請求項１０】
前記制御部は、前記紙幣カセットから分離された紙幣が前記認識部によって正常であると認識された場合、当該紙幣を前記出金口に搬送させる、
請求項８に記載の現金処理装置。
【請求項１１】
前記現金処理装置は、
紙幣を一時的に収納する一時保留部を備え、
前記制御部は、前記一時保留部から分離されて前記認識部によって認識された紙幣の搬送先がリサイクルカセットではない場合、当該紙幣を前記出金口に搬送させる、
請求項１に記載の現金処理装置。
【発明の詳細な説明】
【技術分野】
【０００１】
本発明は、現金処理装置に関するものである。
【背景技術】
【０００２】
昨今、金融機関の営業店カウンタに設置される窓口用現金処理機に代表される現金処理装置は、紙幣や硬貨の入金取引、出金取引、整理計数などに利用される。オペレータは、この現金処理装置の操作部または現金処理装置に接続された受付端末から各種操作を行うことにより、入金、出金などの取引を行うことができる。かかる現金処理装置に関する技術としては様々な技術が開示されている（例えば、特許文献１参照）。
【０００３】
ここで、紙幣の収納動作時または出金時に異常紙幣が発生した場合には、その異常紙幣は入金庫に搬送されるのが一般的である。また、紙幣の収納動作時において、リサイクル不可紙幣を搬送する場合や、搬送先のリサイクルカセットに既に収納されている紙幣の枚数が上限値に達している場合などには、入金庫に設定された紙幣カセットに紙幣が搬送されるのが一般的である。
【先行技術文献】
【特許文献】
【０００４】
【特許文献１】特開２０１３−１１７８９８号公報
【発明の概要】
【発明が解決しようとする課題】
【０００５】
しかしながら、現金処理装置を扱うオペレータが、入金庫や入金庫に設定された紙幣カセットに収納された紙幣を回収するためには、現金処理装置の金庫扉を開けて現金処理装置の下部ユニットを引き出してから、入金庫や入金庫に設定された紙幣カセットを抜き取らなければならないのが一般的である。そのため、紙幣の回収のためにオペレータに煩雑な作業を強いる可能性がある。
【０００６】
また、例えば、金庫扉の鍵を銀行以外の会社が保持しているような国においては、銀行は、金庫扉を開けるための鍵を得るために、他の会社に依頼料を支払わなくてはならない場合もある。かかる場合には、現金処理装置を扱うオペレータに煩雑な手続きを強いる可能性がある。また、かかる場合には、現金処理装置を扱う銀行には、鍵を得るための依頼料が掛かってしまう。
【０００７】
そこで、本発明は、上記問題に鑑みてなされたものであり、本発明の目的とするところは、紙幣の回収のためにオペレータに煩雑な作業を強いる可能性を低減することが可能な技術を提供することにある。
【課題を解決するための手段】
【０００８】
上記問題を解決するために、本発明のある観点によれば、紙幣が排出される出金口と、紙幣を認識する認識部と、紙幣を搬送する搬送部と、搬送中の紙幣が前記認識部によって異常であると認識された場合、当該紙幣が前記出金口に搬送されるように前記搬送部を制御する制御部と、を備える、現金処理装置が提供される。
【０００９】
前記制御部は、前記搬送中の紙幣が前記認識部によって異常であると認識された場合、前記搬送部に残留している複数の紙幣を前記出金口に搬送させてよい。
【００１０】
前記出金口は、第１の出金口及び第２の出金口からなり、前記制御部は、前記搬送中の紙幣が前記認識部によって異常であると認識された場合、前記搬送部に残留している複数の紙幣を第１の出金口に搬送させ、前記第１の出金口に搬送された紙幣の枚数が上限値に達した場合、残りの紙幣を第２の出金口に搬送させてよい。
【００１１】
前記出金口は、第１の出金口及び第２の出金口からなり、前記制御部は、前記搬送中の紙幣が前記認識部によって異常であると認識された場合、前記搬送部に残留している複数の紙幣のうち、前記認識部によって正常であると認識された紙幣を第１の出金口に搬送させ、前記認識部によって異常であると認識された紙幣を第２の出金口に搬送させてよい。
【００１２】
前記現金処理装置は、紙幣を一時的に収納する一時保留部を備え、前記制御部は、前記一時保留部から分離された紙幣が前記認識部によって異常であると認識された場合、当該紙幣を前記出金口に搬送させてよい。
【００１３】
前記制御部は、前記一時保留部から分離された紙幣が前記認識部によって異常であると認識された場合、前記一時保留部からの紙幣の分離を停止させてよい。
【００１４】
前記現金処理装置は、紙幣を収納可能な紙幣カセットを備え、前記制御部は、前記一時保留部から分離された紙幣が前記認識部によって正常であると認識された場合、当該紙幣を前記紙幣カセットに搬送させてよい。
【００１５】
前記現金処理装置は、紙幣を収納する紙幣カセットを備え、前記制御部は、前記紙幣カセットから分離された紙幣が前記認識部によって異常であると認識された場合、当該紙幣を前記出金口に搬送させてよい。
【００１６】
前記制御部は、前記紙幣カセットから分離された紙幣が前記認識部によって異常であると認識された場合、前記紙幣カセットからの紙幣の分離を停止させてよい。
【００１７】
前記制御部は、前記紙幣カセットから分離された紙幣が前記認識部によって正常であると認識された場合、当該紙幣を前記出金口に搬送させてよい。
【００１８】
前記現金処理装置は、紙幣を一時的に収納する一時保留部を備え、前記制御部は、前記一時保留部から分離されて前記認識部によって認識された紙幣の搬送先がリサイクルカセットではない場合、当該紙幣を前記出金口に搬送させてよい。
【発明の効果】
【００１９】
以上説明したように本発明によれば、紙幣の回収のためにオペレータに煩雑な作業を強いる可能性を低減することが可能となる。
【図面の簡単な説明】
【００２０】
【図１】一般的な現金処理装置の要部構成図である。
【図２】一般的な現金処理装置の収納動作時における動作の流れの例を示すフローチャートである。
【図３】一般的な現金処理装置の出金時における動作の流れの例を示すフローチャートである。
【図４】一般的な現金処理装置のカセット回収時におけるオペレータの作業の流れの例を示すフローチャートである。
【図５】本発明の実施形態に係る現金処理装置の要部構成図である。
【図６】本発明の実施形態に係る現金処理装置の機能構成例を示すブロック図である。
【図７】本発明の第１の実施形態に係る現金処理装置の収納動作時における動作の流れの例を示すフローチャートである。
【図８】本発明の第２の実施形態に係る現金処理装置の出金時における動作の流れの例を示すフローチャートである。
【図９】本発明の第３の実施形態に係る現金処理装置の出金時における動作の流れの例を示すフローチャートである。
【発明を実施するための形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２３】
まず、一般的な現金処理装置９０について説明する。図１は、一般的な現金処理装置９０の要部構成図である。まず、図１を参照しながら、一般的な現金処理装置９０の構成について説明する。例えば、現金処理装置９０は、金融機関の受付窓口員などのオペレータによる操作に基づいて金銭の取引を実行する操作型端末であってよい。また、例えば、この現金処理装置９０は、金融機関の営業店などに設置される。以下では、現金処理装置９０が窓口用現金入出金機（ＴＣＲ：Ｔｅｌｌｅｒ  Ｃａｓｈ  Ｒｅｃｙｃｌｅｒ）である場合を主に想定する。
【００２４】
図１に示すように、現金処理装置９０は、入金口１０１、出金口１０２（第１の出金口１０２−１、第２の出金口１０２−２）、搬送路１０３、認識部１０４、一時保留部１０５、紙幣カセット１０６〜１１０、入金庫（リジェクト庫）１１１およびブレード１１２、１１３を有する。なお、以下においては、説明の簡便さのため、スロットＡ〜Ｅに装着される紙幣カセット１０６〜１１０を紙幣カセットＡ〜Ｅと記載し、スロットＦに装着される入金庫１１１を入金庫Ｆと記載する場合もある。
【００２５】
入金口１０１は、オペレータによって紙幣が投入される投入口である。入金口１０１には、開口部を開閉するシャッタ（不図示）が設けられてよい。また、入金口１０１は、束で投入された紙幣を一枚ずつ分離して搬送路１０３に繰り出す分離機能を有していてよい。なお、入金口１０１は、搬送路１０３側に傾くことや、オペレータによる取り出し口側に傾くことが可能な可動式であってもよい。
【００２６】
出金口１０２は、オペレータが受け取る紙幣が排出される排出口である。出金口１０２には、開口部を開閉するシャッタ（不図示）が設けられてよい。また、出金口１０２は、排出する紙幣を集積する集積機能を有していてよい。なお、出金口１０２は、搬送路１０３側に傾くことや、オペレータによる取り出し口側に傾くことが可能な可動式であってもよい。図１に示すように、出金口１０２としては、第１の出金口１０２−１および第２の出金口１０２−２が存在してよい。現金処理装置９０における第１の出金口１０２−１および第２の出金口１０２−２それぞれの位置は特に限定されない。
【００２７】
搬送路１０３は、紙幣を搬送する機能を有している。紙幣の搬送には、対向して当接する複数のローラの間に紙幣を挟んで送出する機構が用いられてよい。搬送路１０３は、駆動モータ（不図示）によって駆動され得る。駆動モータ（不図示）は、例えば、ＤＣサーボモータまたはパルスモータによって構成されており、かかるモータが回転することにより搬送路１０３を駆動する。
【００２８】
駆動モータ（不図示）は、現金処理装置９０の全体の動作を制御する制御部（不図示）の制御に従って、搬送路１０３が紙幣を目的の搬送先に搬送するように搬送路１０３を駆動する。搬送路１０３は、複数の搬送区間に分割され、複数の搬送区間がそれぞれの駆動モータによって駆動されてもよい。ブレード１１２、１１３は、搬送路１０３の分岐部分に配置されており、制御部（不図示）の制御に従って紙幣の搬送方向を制御する。例えば、ブレード１１２，１１３は、ロータリー式ソレノイドを直結させて回転する手法を用いて紙幣の搬送方向を制御してもよい。
【００２９】
認識部１０４は、１枚ずつ搬送される紙幣の認識を行う。認識部１０４は、双方向（方向Ｄ１および方向Ｄ２）に搬送される紙幣の認識を行うことができる。具体的には、認識部１０４は、搬送路１０３によって搬送された紙幣の金種、真偽、正損および走行状態などを鑑別し、搬送される紙幣に対して、正常判定または異常判定を行う。異常判定（リジェクト判定）は、真偽、正損（汚損、損壊、外形異常など）、走行異常（スキュー紙幣、重走など）といった要因に基づいて行われる。また、異常紙幣（以下、「リジェクト紙幣」とも言う。）は、出金紙幣として取り扱えない二千円札および五千円札を含んでもよいし、外国紙幣を含んでもよい。
【００３０】
一時保留部１０５は、紙幣の分離と収納の両方の機能を有する。例えば、一時保留部１０５は、入金時に入金口１０１から分離されて認識部１０４により正常と認識された紙幣を一時的に収納する。一時保留部１０５に収納された紙幣は、取引が成立した場合（例えば、入金した紙幣の口座計上が確定した場合）などに繰り出され、認識部１０４に搬送される。認識部１０４を経て紙幣カセットＡ〜Ｄなどに搬送される。なお、一時保留部１０５の収納形式は、紙幣を順次重ねて集積する集積式であってもよいし、紙幣を順次巻いて収納するドラム式であってもよい。
【００３１】
紙幣カセットＡ〜Ｄは、紙幣を金種毎に収納可能であり、紙幣の収納および分離の両方の機能を有する。紙幣カセットＡ〜Ｄには、同一金種の紙幣を収納する紙幣カセットが存在してもよい。例えば、紙幣カセットＡ、Ｃが一万円札を収納可能であり、紙幣カセットＢ、Ｄが千円札を収納可能であってもよい。また、紙幣カセットＡ〜Ｄは、現金処理装置９０に対して着脱可能な構造になっていてよい。
【００３２】
紙幣カセットＥは、紙幣を収納する収納機能および１枚ずつ繰り出す分離機能を有する。例えば、紙幣カセットＥは、回収時に各紙幣カセットＡ〜Ｄから分離された紙幣を収納することができる。また、紙幣カセットＥは、補充時に収納している紙幣を繰り出し、紙幣カセットＡ〜Ｄに紙幣を補充することができる。このように、紙幣カセットＥは、複数の用途に利用され得る。また、紙幣カセットＥは、現金処理装置９０に対して着脱可能な構造になっていてよい。
【００３３】
入金庫Ｆは、紙幣を収納する収納機能を有する。例えば、入金庫Ｆは、認識部１０４によって異常であると認識された紙幣（リジェクト紙幣）を収納する機能を有している。また、入金庫Ｆは、リジェクト紙幣の他に、正常紙幣、外国紙幣、偽造券などといった、他の紙幣と様々な区別をされた紙幣を収納することが可能な多目的な紙幣カセット（入金庫）であってよい。また、入金庫Ｆは、現金処理装置９０に対して着脱可能な構造になっていてよい。
【００３４】
以上、図１を参照しながら、一般的な現金処理装置９０の基本的な機能について説明した。続いて、図２〜図４を適宜参照しながら、一般的な現金処理装置９０における取引ごとの紙幣の流れについて説明する。取引には、入金、収納、出金、補充、回収などが含まれ得る。
【００３５】
まず、一般的な現金処理装置９０の入金時における紙幣の流れを説明する。入金時においては、オペレータによって入金口１０１に投入された紙幣が１枚ずつ方向Ｄ１に沿って搬送路１０３によって認識部１０４に搬送される。認識部１０４によってリジェクト紙幣であると認識された紙幣は、方向Ｄ１に沿って出金口１０２に搬送される。出金口１０２に搬送された紙幣は、入金口１０１に再度投入されることによって、認識部１０４によって再度認識され得る。
【００３６】
一方、認識部１０４によって正常であると認識された紙幣は、方向Ｄ２に沿って一時保留部１０５に搬送され、一時保留部１０５によって一時的に収納される。入金動作が終わると、現金処理装置９０を制御する上位システム（不図示）によって入金金額が表示される。入金金額をオペレータが確認すると、上位システム（不図示）の収納開始指示に従って、現金処理装置９０の動作が入金動作から収納動作に移行される。
【００３７】
図２は、一般的な現金処理装置９０の収納動作時における動作の流れの例を示すフローチャートである。図２に示すように、収納動作時においては、一時保留部１０５に収納された紙幣が１枚ずつ方向Ｄ１に沿って搬送路１０３によって認識部１０４に搬送される。認識部１０４による認識結果がリジェクト紙幣である旨を示す場合は（ステップＳ１０１において「Ｙｅｓ」）、当該紙幣は方向Ｄ１に沿って搬送路１０３によって入金庫Ｆに搬送される（ステップＳ１０２）。
【００３８】
一方、認識部１０４による認識結果が正常である旨を示す場合は（ステップＳ１０１において「Ｎｏ」）、当該紙幣は方向Ｄ１に沿って搬送路１０３によって紙幣カセットＡ〜Ｅのうち当該紙幣の金種と一致する金種が設定された紙幣カセットに搬送される（ステップＳ１０３）。
【００３９】
なお、入金完了後に、上位システム（不図示）の返却（キャンセル）指示に従って、現金処理装置９０の動作が入金動作から返却動作に移行されてもよい。かかる場合、一時保留部１０５に収納された紙幣は、１枚ずつ方向Ｄ１に沿って搬送路１０３によって認識部１０４に搬送され、認識部１０４による認識結果に関わらず方向Ｄ１に沿って搬送路１０３によって出金口１０２に搬送されてよい。
【００４０】
続いて、一般的な現金処理装置９０の出金時における紙幣の流れを説明する。図３は、一般的な現金処理装置９０の出金時における動作の流れの例を示すフローチャートである。図３に示すように、出金時においては、紙幣カセットＡ〜Ｅのうち指定金種が設定された紙幣カセットから指定枚数の紙幣が１枚ずつ分離されて方向Ｄ２に沿って搬送路１０３によって認識部１０４に搬送される。認識部１０４による認識結果がリジェクト紙幣である旨を示す場合は（ステップＳ２０１において「Ｙｅｓ」）、当該紙幣は方向Ｄ２に沿って搬送路１０３によって入金庫Ｆに搬送される（ステップＳ２０２）。
【００４１】
一方、認識部１０４による認識結果が正常である旨を示す場合は（ステップＳ２０１において「Ｎｏ」）、当該紙幣は方向Ｄ２に沿って搬送路１０３によって出金口１０２に搬送される（ステップＳ２０３）。
【００４２】
続いて、一般的な現金処理装置９０の補充時における紙幣の流れを説明する。紙幣補充の手法としては、投入口補充、カセット交換補充およびカセット計数補充などが挙げられる。ここで、投入口補充の動作は、上記した入金動作および収納動作と同様になされ得る。また、カセット交換補充は、あらかじめ紙幣が収納された紙幣カセットを現金処理装置９０にセットする手法であるが、かかる手法においては、認識部１０４により紙幣の計数処理が実行されないため、オペレータは、紙幣の金種および枚数をマニュアルで登録する必要がある。
【００４３】
カセット計数補充においては、紙幣カセットＥから１枚ずつ分離された紙幣が方向Ｄ２に沿って搬送路１０３によって認識部１０４に搬送される。認識部１０４による認識結果がリジェクト紙幣である旨を示す場合は、当該紙幣は、方向Ｄ２に沿って入金庫Ｆに搬送される。一方、認識部１０４による認識結果が正常である旨を示す場合は、当該紙幣は、方向Ｄ２に沿って搬送路１０３によって一時保留部１０５に搬送される。
【００４４】
続いて、正常であると認識された紙幣は、一時保留部１０５から繰り出されて、方向Ｄ１に沿って搬送路１０３によって認識部１０４に搬送される。認識部１０４による認識結果がリジェクト紙幣である旨を示す場合は、当該紙幣は、方向Ｄ１に沿って入金庫Ｆに搬送される。一方、認識部１０４によって正常であると認識された紙幣は、方向Ｄ１に沿って搬送路１０３によって紙幣カセットＡ〜Ｅのうち当該紙幣の金種と一致する金種が設定された紙幣カセットに搬送される。
【００４５】
続いて、一般的な現金処理装置９０の回収時における紙幣の流れを説明する。紙幣回収の手法としては、出金口回収、カセット交換回収およびカセット計数回収などが挙げられる。ここで、出金口回収の動作は、上記した出金動作と同様になされ得る。また、カセット交換回収は、現金処理装置９０から紙幣カセットを取り外して紙幣の回収を行う手法であるが、かかる手法においては、認識部１０４により紙幣の計数処理が実行されないため、オペレータは、取り外した紙幣カセットから紙幣を抜き取って紙幣の金種および枚数をマニュアルで数えるのが一般的な運用である。
【００４６】
カセット計数回収においては、紙幣カセットＡ〜Ｄから１枚ずつ分離された紙幣が方向Ｄ２に沿って搬送路１０３によって認識部１０４に搬送される。認識部１０４によって異常であると認識されたリジェクト紙幣は、方向Ｄ２に沿って入金庫Ｆに搬送される。一方、認識部１０４によって正常であると認識された紙幣は、方向Ｄ２に沿って紙幣カセットＥに搬送される。紙幣の計数が完了した後、オペレータは、紙幣カセットＥを現金処理装置９０から取り外して紙幣の回収を行うことができる。
【００４７】
図４は、一般的な現金処理装置９０のカセット回収時におけるオペレータの作業の流れの例を示すフローチャートである。図４に示すように、紙幣カセットの回収がなされるに際しては、オペレータは、鍵を用いて金庫扉１１５を開ける（ステップＳ３０１）。続いて、オペレータは、現金処理装置９０から下部ユニット１１４を取り外して（ステップＳ３０２）、現金処理装置９０から紙幣カセットを取り外す。オペレータは、取り外した紙幣カセットから紙幣を抜き取り（ステップＳ３０３）、下部ユニット１１４を現金処理装置９０に取り付け（ステップＳ３０４）、金庫扉を閉める（ステップＳ３０５）。
【００４８】
以上、図２〜図４を適宜参照しながら、一般的な現金処理装置９０における取引ごとの紙幣の流れについて説明した。ここで、上記したように、各取引時（例えば、収納動作時、出金時、補充時および回収時など）においては、紙幣の搬送中において認識部１０４によって異常であると認識されたリジェクト紙幣は、入金庫Ｆに搬送されてしまうのが一般的である。
【００４９】
また、紙幣の分離機能（紙幣を繰り出す機能）を有する出金庫、紙幣の集積する機能を有する出金庫の他に、紙幣の分離機能と紙幣の集積機能との双方を有する紙幣カセット（以下、「リサイクルカセット」とも言う。）が存在し得る。例えば、紙幣カセットＡ〜Ｄがリサイクルカセットとなり得る。ここで、紙幣の収納動作時において、搬送先のリサイクルカセットに収納された紙幣の枚数が上限値に達している場合、入金庫に設定された紙幣カセットに紙幣が搬送されるのが一般的である。
【００５０】
なお、リサイクルカセットに対して補充する紙幣を繰り出し、リサイクルカセットから回収する紙幣を収納する紙幣カセット（装填回収庫）も存在し得る。例えば、紙幣カセットＥが装填回収庫となり得る。
【００５１】
また、紙幣カセットに収納された後に出金対象とはされない紙幣（以下、「リサイクル不可紙幣」）が存在し得る。例えば、紙幣カセットＡ〜Ｅの中に一致する金種が設定された紙幣カセットが存在しない金種の紙幣は、リサイクル不可紙幣として扱われ得る。リサイクル不可紙幣も、収納動作時において、入金庫に設定された紙幣カセットに紙幣が搬送されるのが一般的である。
【００５２】
しかし、現金処理装置９０を扱うオペレータが、入金庫Ｆや入金庫に設定された紙幣カセットに収納された紙幣を回収するためには、現金処理装置９０の金庫扉１１５を開けて現金処理装置９０の下部ユニット１１４を引き出してから、入金庫Ｆや入金庫に設定された紙幣カセットを抜き取らなければならないのが一般的である。そのため、紙幣の回収のためにオペレータに煩雑な作業を強いる可能性がある。
【００５３】
また、例えば、金庫扉１１５の鍵を銀行以外の会社が保持しているような国においては、銀行は、金庫扉１１５を開けるための鍵を得るために、他の会社に依頼料を支払わなくてはならない場合もある。かかる場合には、現金処理装置９０を扱うオペレータに煩雑な手続きを強いる可能性がある。また、かかる場合には、現金処理装置９０を扱う銀行には、鍵を得るための依頼料が掛かってしまう。
【００５４】
そこで、本明細書においては、紙幣の回収のためにオペレータに煩雑な作業を強いる可能性を低減することが可能な技術を主に提案する。
【００５５】
なお、本明細書においては、紙幣カセットＡ〜Ｅがループ状の搬送路１０３に対して放射状に接続されるように並べられ、出金時の搬送方向である方向Ｄ２に沿って紙幣カセットＡ〜Ｅ、認識部１０４および入金庫Ｆが順に配置されている例を主に説明する。かかる例によれば、紙幣カセットＡ〜Ｅから分離されて方向Ｄ２に沿って認識部１０４に搬送された紙幣が、認識部１０４によってリジェクト紙幣であると認識された場合、当該紙幣を入金庫Ｆに直接搬送することができるという利点が享受され得る。
【００５６】
続いて、本発明の実施形態に係る現金処理装置１０について詳細に説明する。なお、本発明の実施形態に係る現金処理装置１０の構成要素のうち、一般的な現金処理装置９０と同様の構成要素については、同一の符号を付して説明は省略する。図５は、本発明の実施形態に係る現金処理装置１０の要部構成図である。図５を参照しながら、本発明の実施形態に係る現金処理装置１０の構成について説明する。
【００５７】
一般的な現金処理装置９０においては、入金庫Ｆが使用されるが、本発明の実施形態に係る現金処理装置１０においては、入金庫Ｆは使用されなくてよい。したがって、図５に示すように、本発明の実施形態に係る現金処理装置１０は、入金庫Ｆを有していなくてよい。ただし、入金庫Ｆが使用されなくてよいだけであるため、本発明の実施形態に係る現金処理装置１０は、入金庫Ｆを備えてもよいことは言うまでもない。
【００５８】
図６は、本発明の実施形態に係る現金処理装置１０の機能構成例を示すブロック図である。図６に示すように、本発明の実施形態に係る現金処理装置１０は、制御部２１０と、検知部２２０と、記憶部２３０と、搬送部２４０とを備える。
【００５９】
制御部２１０は、現金処理装置１０の動作全般を制御する。具体的には、制御部２１０は、上述した入金処理、出金処理、補充処理、回収処理などの基本処理を制御する。例えば、制御部２１０は、搬送部２４０による紙幣の搬送と、シャッタ（不図示）の開閉動作とを制御する。
【００６０】
検知部２２０は、例えば、光学センサなどを有し、様々な状態を検知する。例えば、検知部２２０は、入金口１０１や、出金口１０２（第１の出金口１０２−１、第２の出金口１０２−２）の紙幣の集積状態（集積枚数や、紙幣が抜き取られたか否か）を検知する。また、検知部２２０は、紙幣の搬送状態を検知し得る。検知部によって検知された結果は、制御部２１０に出力される。
【００６１】
記憶部２３０は、現金処理装置１０が動作するためのプログラムや各種データなどを記憶する。また、記憶部２３０は、認識部１０４の鑑別結果を記憶し得る。搬送部２４０は、搬送路１０３によって構成され、制御部２１０の制御に従って紙幣を搬送する機能を有する。なお、制御部２１０および記憶部２３０の機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現してもよい。
【００６２】
ＣＰＵは、演算機能および制御機能を有し、各種プログラムに従って現金処理装置１０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。
【００６３】
本発明の実施形態において、制御部２１０は、搬送中の紙幣が認識部１０４によってリジェクト紙幣であると認識された場合、当該紙幣が出金口１０２に搬送されるように搬送路１０３を制御する。かかる構成によれば、搬送中の紙幣がリジェクト紙幣である場合には、当該紙幣が入金庫Ｆや入金庫に設定された紙幣カセットに収納されなくなる。したがって、現金処理装置１０の金庫扉１１５を開けて現金処理装置１０の下部ユニット１１４を引き出してから、入金庫Ｆや入金庫に設定された紙幣カセットを抜き取る作業が不要となる。そのため、紙幣の回収のためにオペレータに煩雑な作業を強いる可能性が低減される。
【００６４】
また、例えば、金庫扉の鍵を銀行以外の会社が保持しているような国においても、銀行は、金庫扉を開けるための鍵が不要となるため、他の会社に依頼料を支払わなくて済むようになる。したがって、現金処理装置１０を扱うオペレータに煩雑な手続きを強いる可能性が低減される。以下、各実施形態において、現金処理装置１０が有する機能のバリエーションを詳細に説明する。
【００６５】
（第１の実施形態）
まず、本発明の第１の実施形態を説明する。本発明の第１の実施形態は、現金処理装置１０において入金が完了した後における紙幣の収納動作に関する。具体的には、入金が完了して紙幣が一時保留部１０５に収納されている状態において、収納動作が開始されると、一時保留部１０５から１枚ずつ紙幣が分離されて繰り出される。このとき、制御部２１０は、一時保留部１０５から分離された紙幣が認識部１０４によってリジェクト紙幣であると認識された場合、当該紙幣を出金口１０２に搬送させる。
【００６６】
ここで、制御部２１０は、一時保留部１０５から分離された紙幣が認識部１０４によってリジェクト紙幣であると認識された場合には、一時保留部１０５からの紙幣の分離を停止させるとよい。そうすれば、一時保留部１０５から搬送路１０３に紙幣が繰り出されてしまうのを防ぐことができる。また、搬送路１０３の搬送方向は特に限定されない。例えば、制御部２１０は、収納動作が開始されると、搬送方向が方向Ｄ１となるように搬送路１０３を制御してよい。一方、制御部２１０は、リジェクト紙幣が認識された場合には、搬送方向が方向Ｄ２となるように搬送路１０３を制御すればよい。
【００６７】
一方、制御部２１０は、一時保留部１０５から分離された紙幣が認識部１０４によって正常であると認識された場合、当該紙幣を紙幣カセットＡ〜Ｄに搬送させてよい。このとき、例えば、制御部２１０は、紙幣カセットＡ〜Ｄのうち、認識部１０４によって認識された紙幣の金種と同一の金種が設定されている紙幣カセットを、当該正常紙幣の搬送先として決定すればよい。
【００６８】
紙幣の搬送先の出金口１０２は特に限定されない。例えば、紙幣の搬送先の出金口１０２は、第１の出金口１０２−１であってもよいし、第２の出金口１０２−２であってもよい。また、認識部１０４によってリジェクト紙幣が認識された段階で搬送路１０３には、そのリジェクト紙幣を含んだ複数の紙幣が残留していることが想定される。したがって、制御部２１０は、搬送中の紙幣が認識部１０４によってリジェクト紙幣であると認識された場合、搬送路１０３に残留している複数の紙幣を出金口１０２に搬送させてよい。
【００６９】
制御部２１０は、搬送中の紙幣が認識部１０４によってリジェクト紙幣であると認識された場合、搬送路１０３に残留している複数の紙幣の搬送先の出金口１０２を状況に応じて選択してもよい。例えば、制御部２１０は、搬送中の紙幣が認識部１０４によってリジェクト紙幣であると認識された場合、搬送路１０３に残留している複数の紙幣のうち、認識部１０４によって正常であると認識された紙幣を第１の出金口１０２−１に搬送させ、認識部１０４によってリジェクト紙幣であると認識された紙幣を第２の出金口１０２−２に搬送させてよい。
【００７０】
かかる構成によれば、第１の出金口１０２−１には正常紙幣が集積され、第２の出金口１０２−２にはリジェクト紙幣が集積されるため、オペレータは、出金口１０２から抜き取った複数の紙幣を正常紙幣とリジェクト紙幣とに仕分ける作業を行わなくて済むようになる。この例について、図７を参照しながら説明する。図７は、本発明の第１の実施形態に係る現金処理装置１０の収納動作時における動作の流れの例を示すフローチャートである。
【００７１】
図７に示すように、収納動作時において、制御部２１０は、一時保留部１０５から分離された紙幣が認識部１０４によって認識され、認識結果が正常紙幣である旨を示す場合には（ステップＳ４０１において「Ｎｏ」）、搬送先の紙幣カセットに当該紙幣を搬送させ（ステップＳ４０２）、収納動作を終了する。一方、制御部２１０は、一時保留部１０５から分離された紙幣が認識部１０４によって認識され、認識結果がリジェクト紙幣である旨を示す場合には（ステップＳ４０１において「Ｙｅｓ」）、一時保留部１０５における紙幣の分離を停止させる（ステップＳ４０３）。
【００７２】
また、制御部２１０は、搬送路１０３を停止させる（ステップＳ４０４）。一時保留部１０５からの紙幣の分離が停止されているため、搬送路１０３を停止させることによって紙幣の破れを防止することができる。なお、制御部２１０は、搬送路１０３の全体を停止させてもよいし、搬送路１０３の一部を停止させてもよい。例えば、制御部２１０は、搬送路１０３の一部を停止させる場合には、一時保留部１０５と一時保留部１０５への枝分かれ部分に存在するブレード１１３との間の搬送路１０３を停止させてもよい。
【００７３】
続いて、制御部２１０は、搬送路１０３を収納方向（方向Ｄ１）とは逆方向（方向Ｄ２）に移動させる（ステップＳ４０５）。続いて、制御部２１０は、搬送路１０３に残留している複数の紙幣がリジェクト紙幣か否かを順に判定し（ステップＳ４０６）、当該紙幣が正常紙幣である場合（ステップＳ４０６において「Ｎｏ」）、当該紙幣を第１の出金口１０２−１に搬送させ（ステップＳ４０７）、当該紙幣がリジェクト紙幣である場合（ステップＳ４０６において「Ｙｅｓ」）、当該紙幣を第２の出金口１０２−２に搬送させてよい（ステップＳ４０８）。
【００７４】
続いて、制御部２１０は、現金処理装置１０を障害状態にし（ステップＳ４０９）、収納動作を終了してよい。現金処理装置１０の障害状態は特に限定されないが、現金処理装置１０に対してオペレータが復帰の操作を行うまで、動作が停止されている状態であってよい。
【００７５】
なお、搬送路１０３に残留している複数の紙幣の搬送先の出金口１０２の選択手法はかかる例に限定されない。例えば、制御部２１０は、搬送中の紙幣が認識部１０４によってリジェクト紙幣であると認識された場合、搬送路１０３に残留している複数の紙幣を第１の出金口１０２−１に搬送させ、第１の出金口１０２−１に搬送された紙幣の枚数が上限値に達した場合、残りの紙幣を第２の出金口１０２−２に搬送させてもよい。かかる上限値は特に限定されないため、第１の出金口１０２−１のサイズに応じて適宜に設定されてよい。
【００７６】
（第２の実施形態）
まず、本発明の第２の実施形態を説明する。本発明の第２の実施形態は、現金処理装置１０において出金動作に関する。具体的には、複数の紙幣が紙幣カセットＡに収納されている状態において、出金動作が開始されると、紙幣カセットＡから１枚ずつ紙幣が分離されて繰り出される。ここでは、紙幣カセットＡを用いて説明するが、紙幣カセットＡの代わりに紙幣カセットＢ〜Ｅが用いられてもよい。制御部２１０は、紙幣カセットＡから分離された紙幣が認識部１０４によってリジェクト紙幣であると認識された場合、当該紙幣を出金口１０２に搬送させる。
【００７７】
ここで、制御部２１０は、紙幣カセットＡから分離された紙幣が認識部１０４によってリジェクト紙幣であると認識された場合には、一時保留部１０５からの紙幣の分離を停止させるとよい。そうすれば、紙幣カセットＡから搬送路１０３に紙幣が繰り出されてしまうのを防ぐことができる。また、搬送路１０３の搬送方向は特に限定されない。例えば、制御部２１０は、出金動作が開始されると、搬送方向が方向Ｄ２となるように搬送路１０３を制御してよい。一方、制御部２１０は、リジェクト紙幣が認識された場合には、搬送方向が方向Ｄ２のままとなるように搬送路１０３を制御すればよい。
【００７８】
一方、制御部２１０は、紙幣カセットＡから分離された紙幣が認識部１０４によって正常であると認識された場合、当該紙幣を出金口１０２に搬送させてよい。紙幣の搬送先の出金口１０２は特に限定されない。例えば、紙幣の搬送先の出金口１０２は、第１の出金口１０２−１であってもよいし、第２の出金口１０２−２であってもよい。また、認識部１０４によってリジェクト紙幣が認識された段階で搬送路１０３には、そのリジェクト紙幣を含んだ複数の紙幣が残留していることが想定される。したがって、制御部２１０は、搬送中の紙幣が認識部１０４によってリジェクト紙幣であると認識された場合、搬送路１０３に残留している複数の紙幣を出金口１０２に搬送させてよい。
【００７９】
制御部２１０は、搬送中の紙幣が認識部１０４によってリジェクト紙幣であると認識された場合、搬送路１０３に残留している複数の紙幣の搬送先の出金口１０２を状況に応じて選択してもよい。例えば、制御部２１０は、搬送中の紙幣が認識部１０４によってリジェクト紙幣であると認識された場合、搬送路１０３に残留している複数の紙幣のうち、認識部１０４によって正常であると認識された紙幣を第１の出金口１０２−１に搬送させ、認識部１０４によってリジェクト紙幣であると認識された紙幣を第２の出金口１０２−２に搬送させてよい。
【００８０】
かかる構成によれば、第１の出金口１０２−１には正常紙幣が集積され、第２の出金口１０２−２にはリジェクト紙幣が集積されるため、オペレータは、出金口１０２から抜き取った複数の紙幣を正常紙幣とリジェクト紙幣とに仕分ける作業を行わなくて済むようになる。この例について、図８を参照しながら説明する。図８は、本発明の第２の実施形態に係る現金処理装置１０の出金時における動作の流れの例を示すフローチャートである。
【００８１】
図８に示すように、出金時において、制御部２１０は、紙幣カセットＡから分離された紙幣が認識部１０４によって認識され、認識結果が正常紙幣である旨を示す場合には（ステップＳ５０１において「Ｎｏ」）、出金口１０２に当該紙幣を搬送させ（ステップＳ５０２）、収納動作を終了する。一方、制御部２１０は、紙幣カセットＡから分離された紙幣が認識部１０４によって認識され、認識結果がリジェクト紙幣である旨を示す場合には（ステップＳ５０１において「Ｙｅｓ」）、紙幣カセットＡにおける紙幣の分離を停止させる（ステップＳ５０３）。
【００８２】
また、制御部２１０は、搬送路１０３を停止させる（ステップＳ５０４）。紙幣カセットＡからの紙幣の分離が停止されているため、搬送路１０３を停止させることによって紙幣の破れを防止することができる。なお、制御部２１０は、搬送路１０３の全体を停止させてもよいし、搬送路１０３の一部を停止させてもよい。例えば、制御部２１０は、搬送路１０３の一部を停止させる場合には、紙幣カセットＡと紙幣カセットＡへの枝分かれ部分に存在するブレード１１２との間の搬送路１０３を停止させてもよい。
【００８３】
続いて、制御部２１０は、搬送路１０３を出金方向（方向Ｄ２）に移動させる（ステップＳ５０５）。続いて、制御部２１０は、搬送路１０３に残留している複数の紙幣がリジェクト紙幣か否かを順に判定し（ステップＳ５０６）、当該紙幣が正常紙幣である場合（ステップＳ５０６において「Ｎｏ」）、当該紙幣を第１の出金口１０２−１に搬送させ（ステップＳ５０７）、当該紙幣がリジェクト紙幣である場合（ステップＳ５０６において「Ｙｅｓ」）、当該紙幣を第２の出金口１０２−２に搬送させてよい（ステップＳ５０８）。
【００８４】
続いて、制御部２１０は、現金処理装置１０を障害状態にし（ステップＳ５０９）、出金動作を終了してよい。なお、上記したように、現金処理装置１０の障害状態は特に限定されない。
【００８５】
なお、搬送路１０３に残留している複数の紙幣の搬送先の出金口１０２の選択手法はかかる例に限定されない。例えば、制御部２１０は、搬送中の紙幣が認識部１０４によってリジェクト紙幣であると認識された場合、搬送路１０３に残留している複数の紙幣を第１の出金口１０２−１に搬送させ、第１の出金口１０２−１に搬送された紙幣の枚数が上限値に達した場合、残りの紙幣を第２の出金口１０２−２に搬送させてもよい。かかる上限値は特に限定されないため、第１の出金口１０２−１のサイズに応じて適宜に設定されてよい。
【００８６】
（第３の実施形態）
まず、本発明の第３の実施形態を説明する。本発明の第３の実施形態は、現金処理装置１０において入金が完了した後における紙幣の収納動作に関する。具体的には、入金が完了して紙幣が一時保留部１０５に収納されている状態において、収納動作が開始されると、一時保留部１０５から１枚ずつ紙幣が分離されて繰り出される。このとき、制御部２１０は、一時保留部１０５から分離されて認識部１０４によって認識された紙幣の搬送先がリサイクルカセット以外の場合、当該紙幣を出金口１０２に搬送させる。
【００８７】
かかる構成によれば、入金庫に設定された紙幣カセットに紙幣を搬送させなくて済むため、リサイクルカセットとして利用可能な紙幣カセットを増加させることが可能である。これによって、現金処理装置１０において取り扱うことができる券種を増加させることが可能となる。
【００８８】
一例として、紙幣カセットＡ〜Ｅの券種を順に、（金種１００元、発行２００５年）、（金種５０元、発行２００５年）、（金種１００元、発行１９９９年）、（金種５０元、発行１９９９年）および（金種２０元、発行２００５年）としてもよい。また、他の例として、紙幣カセットＡ〜Ｅの券種を順に、（金種１００元）、（金種５０元）、（金種一万円）、（金種五千円）および（金種千円）としてもよい。
【００８９】
一例として、制御部２１０は、一時保留部１０５から分離されて認識部１０４によって認識された紙幣がリサイクル不可紙幣である場合、当該紙幣を出金口１０２に搬送させる。より具体的には、制御部２１０は、一時保留部１０５から分離されて認識部１０４によって認識された紙幣の金種がリサイクルカセットに設定された金種と一致しない場合、当該紙幣を出金口１０２に搬送させてよい。
【００９０】
他の一例として、制御部２１０は、一時保留部１０５から分離されて認識部１０４によって認識された紙幣の搬送先がリサイクルカセットであるが、リサイクルカセットに収納された紙幣の枚数が上限値に達している場合、当該紙幣を出金口１０２に搬送させる。より具体的には、一時保留部１０５から分離されて認識部１０４によって認識された紙幣の金種がリサイクルカセットに設定された金種と一致する場合、かつ、リサイクルカセットに収納された紙幣の枚数が上限値に達している場合、当該紙幣を出金口１０２に搬送させてよい。
【００９１】
ここで、制御部２１０は、一時保留部１０５から分離された紙幣の搬送先がリサイクルカセットではない場合には、一時保留部１０５からの紙幣の分離を停止させるとよい。そうすれば、一時保留部１０５から搬送路１０３に紙幣が繰り出されてしまうのを防ぐことができる。また、搬送路１０３の搬送方向は特に限定されない。例えば、制御部２１０は、収納動作が開始されると、搬送方向が方向Ｄ１となるように搬送路１０３を制御してよい。一方、制御部２１０は、紙幣の搬送先がリサイクルカセットではない場合には、搬送方向が方向Ｄ２となるように搬送路１０３を制御すればよい。
【００９２】
一方、制御部２１０は、一時保留部１０５から分離された紙幣の搬送先がリサイクルカセットであると判定した場合、当該紙幣をリサイクルカセットに搬送させてよい。このとき、例えば、制御部２１０は、紙幣カセットＡ〜Ｄのうち、認識部１０４によって認識された紙幣の金種と同一の金種が設定されている紙幣カセットを、当該紙幣の搬送先として決定し、決定した搬送先がリサイクルカセットであるか否かを判定すればよい。
【００９３】
紙幣の搬送先の出金口１０２は特に限定されない。例えば、紙幣の搬送先の出金口１０２は、第１の出金口１０２−１であってもよいし、第２の出金口１０２−２であってもよい。また、一時保留部１０５から分離された紙幣の搬送先がリサイクルカセットであると判定された段階で搬送路１０３には、そのリジェクト紙幣を含んだ複数の紙幣が残留していることが想定される。したがって、制御部２１０は、搬送中の紙幣の搬送先がリサイクルカセットであると判定した場合、搬送路１０３に残留している複数の紙幣を出金口１０２に搬送させてよい。
【００９４】
制御部２１０は、搬送中の紙幣の搬送先がリサイクルカセットであると判定した場合、搬送路１０３に残留している複数の紙幣の搬送先の出金口１０２を状況に応じて選択してもよい。例えば、制御部２１０は、搬送中の紙幣の搬送先がリサイクルカセットであると判定した場合、搬送路１０３に残留している複数の紙幣のうち、認識部１０４によって正常であると認識された紙幣を第１の出金口１０２−１に搬送させ、認識部１０４によってリジェクト紙幣であると認識された紙幣を第２の出金口１０２−２に搬送させてよい。
【００９５】
かかる構成によれば、第１の出金口１０２−１には正常紙幣が集積され、第２の出金口１０２−２にはリジェクト紙幣が集積されるため、オペレータは、出金口１０２から抜き取った複数の紙幣を正常紙幣とリジェクト紙幣とに仕分ける作業を行わなくて済むようになる。この例について、図９を参照しながら説明する。図９は、本発明の第３の実施形態に係る現金処理装置１０の収納動作時における動作の流れの例を示すフローチャートである。
【００９６】
図９に示すように、収納動作時において、制御部２１０は、一時保留部１０５から分離された紙幣が認識部１０４によって認識され、認識結果が正常紙幣である旨を示す場合には（ステップＳ６０１において「Ｎｏ」）、ステップＳ６１１に進む。一方、制御部２１０は、一時保留部１０５から分離された紙幣が認識部１０４によって認識され、認識結果がリジェクト紙幣である旨を示す場合には（ステップＳ６０１において「Ｙｅｓ」）、ステップＳ６０３に進む。図９に示したステップＳ６０３〜Ｓ６０８は、図７に示したステップＳ４０３〜ステップＳ４０８と同様に実行され得るため、説明を省略する。
【００９７】
続いて、制御部２１０は、搬送中の紙幣の搬送先がリサイクルカセットであるか否かを判定する（ステップＳ６１１）。制御部２１０は、搬送中の紙幣の搬送先がリサイクルカセットである場合には（ステップＳ６１１において「Ｙｅｓ」）、リサイクルカセットに紙幣を搬送させ（ステップＳ６１２）、収納動作を終了する。
【００９８】
一方、制御部２１０は、搬送中の紙幣の搬送先がリサイクルカセットではない場合には（ステップＳ６１１において「Ｎｏ」）、一時保留部１０５における紙幣の分離を停止させる（ステップＳ６１３）。また、制御部２１０は、搬送路１０３を停止させる（ステップＳ６１４）。一時保留部１０５からの紙幣の分離が停止されているため、搬送路１０３を停止させることによって紙幣の破れを防止することができる。なお、制御部２１０は、搬送路１０３の全体を停止させてもよいし、搬送路１０３の一部を停止させてもよい。例えば、制御部２１０は、搬送路１０３の一部を停止させる場合には、一時保留部１０５と一時保留部１０５への枝分かれ部分に存在するブレード１１３との間の搬送路１０３を停止させてもよい。
【００９９】
続いて、制御部２１０は、搬送路１０３を収納方向（方向Ｄ１）とは逆方向（方向Ｄ２）に移動させる（ステップＳ６１５）。続いて、制御部２１０は、搬送路１０３に残留している複数の紙幣がリジェクト紙幣か否かを順に判定し（ステップＳ６１６）、当該紙幣が正常紙幣である場合（ステップＳ６１６において「Ｎｏ」）、当該紙幣を第１の出金口１０２−１に搬送させ（ステップＳ６１７）、当該紙幣がリジェクト紙幣である場合（ステップＳ６１６において「Ｙｅｓ」）、当該紙幣を第２の出金口１０２−２に搬送させてよい（ステップＳ６１８）。
【０１００】
続いて、制御部２１０は、現金処理装置１０を障害状態にし（ステップＳ６１９）、収納動作を終了してよい。なお、上記したように、現金処理装置１０の障害状態は特に限定されない。
【０１０１】
なお、搬送路１０３に残留している複数の紙幣の搬送先の出金口１０２の選択手法はかかる例に限定されない。例えば、制御部２１０は、搬送中の紙幣の搬送先がリサイクルカセットであると判定した場合、搬送路１０３に残留している複数の紙幣を第１の出金口１０２−１に搬送させ、第１の出金口１０２−１に搬送された紙幣の枚数が上限値に達した場合、残りの紙幣を第２の出金口１０２−２に搬送させてもよい。かかる上限値は特に限定されないため、第１の出金口１０２−１のサイズに応じて適宜に設定されてよい。
【０１０２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０３】
例えば、現金処理装置１０の動作全体を制御するための制御部２１０は、専用のハードウェアによって構成されてもよいし、現金処理装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【０１０４】
また、上述した実施形態は、本実施形態による現金処理装置１０を、職員操作型端末に適用して説明したが、本実施形態による現金処理装置１０は、これに限定されない。例えば、顧客操作型端末であって、紙幣を還流させる（リサイクルさせる）タイプのＡＴＭに代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１０５】
１０    現金処理装置
１０１  入金口
１０２  出金口
１０２−１  第１の出金口
１０２−２  第２の出金口
１０３  搬送路
１０４  認識部
１０５  一時保留部
１０６  紙幣カセット
１１１  入金庫
１１２  ブレード
１１３  ブレード
１１４  下部ユニット
１１５  金庫扉
２１０  制御部
２２０  検知部
２３０  記憶部
２４０  搬送部
【図１】
2015176185.tif 000003
【図２】
2015176185.tif 000004
【図３】
2015176185.tif 000005
【図４】
2015176185.tif 000006
【図５】
2015176185.tif 000007
【図６】
2015176185.tif 000008
【図７】
2015176185.tif 000009
【図８】
2015176185.tif 000010
【図９】
2015176185.tif 000011